(57)【特許請求の範囲】
【請求項１】
車両の複数の窓ガラスをそれぞれ動作する駆動手段と、前記駆動手段を駆動するための操作手段と、前記操作手段の操作に応じて前記窓ガラスが開動作または閉動作されるよう前記駆動手段を制御する制御手段とを備えたパワーウインドウ装置において、
前記操作手段が、複数の前記窓ガラスに対応する複数の窓スイッチを有するものであり、
前記制御手段が、複数の前記窓スイッチを個々に操作する通常操作が行われた場合には、当該窓スイッチに対応する前記窓ガラスのみが動作されるよう前記駆動手段を制御し、前記窓スイッチに対して前記通常操作とは異なる操作である特殊操作が行われた場合には、全ての前記窓ガラスが動作されると共に、当該窓ガラスが異なる動作タイミングで動作されるよう前記駆動手段を制御するものであり、
前記制御手段が、前記特殊操作による前記窓ガラスの動作において、車両の前列における運転席側に配置される前記窓ガラスの動作が開始されてから車両の前列における助手席側に配置される前記窓ガラスの動作が開始されるまでの時間が、車両の前列における助手席側に配置される前記窓ガラスの動作が開始されてから車両の後列に配置される前記窓ガラスの動作が開始されるまでの時間よりも長くなるよう前記駆動手段を制御するものである
ことを特徴とするパワーウインドウ装置。
【請求項２】
前記制御手段が、前記特殊操作による前記窓ガラスの動作において、前記窓ガラスの動作が停止される動作タイミングが異なるよう前記駆動手段を制御するものである
ことを特徴とする請求項１に記載のパワーウインドウ装置。
【請求項３】
前記制御手段が、前記特殊操作による前記窓ガラスの動作において、前記窓ガラスの動作が開始される動作タイミングが異なるように、車両の前列に配置される前記窓ガラスの動作が開始された後、車両の後列に配置される前記窓ガラスの動作が開始されるよう前記駆動手段を制御するものである
ことを特徴とする請求項１または請求項２に記載のパワーウインドウ装置。
【請求項４】
前記制御手段が、前記特殊操作による前記窓ガラスの動作において、前記窓ガラスの動作が開始される動作タイミングが異なるように、車両の前列における運転席側に配置される前記窓ガラスの動作が開始された後、車両の前列における助手席側に配置される前記窓ガラスの動作が開始されるように前記駆動手段を制御するものである
ことを特徴とする請求項１から請求項３のいずれか１項に記載のパワーウインドウ装置。
【請求項５】
前記特殊操作は、複数の前記窓スイッチのうち少なくとも二つの前記窓スイッチを同時に操作する操作である
ことを特徴とする請求項１から請求項４のいずれか１項に記載のパワーウインドウ装置。
【請求項６】
前記特殊操作による前記窓ガラスの動作を搭乗者に報知する報知手段を備えた
ことを特徴とする請求項１から請求項５のいずれか１項に記載のパワーウインドウ装置。
【請求項７】
前記制御手段が、前記特殊操作による前記窓ガラスの動作が開始される前に、当該窓ガラスの動作が搭乗者に報知されるよう前記報知手段を制御するものである
ことを特徴とする請求項６に記載のパワーウインドウ装置。
【発明の詳細な説明】
【技術分野】
【０００１】
本発明は、自動車に搭載されるパワーウインドウ装置に関する。
【背景技術】
【０００２】
自動車には、開閉可能な窓ガラスが設けられており、電動モータ等の駆動源を利用して当該窓ガラスを開閉するパワーウインドウ装置が搭載されている。このパワーウインドウ装置には、パワーウインドウスイッチが設けられており、このパワーウインドウスイッチが操作されることにより、駆動源が駆動され、当該駆動源の動力によって窓ガラスが開閉されるようになっている（例えば、特許文献１および特許文献２参照）。
【０００３】
例えば、車両の運転席側と助手席側と後右席側と後左席側にそれぞれ配置される窓ガラスを開閉可能な自動車において、各窓ガラスの近傍には、当該窓ガラスを開閉するためのパワーウインドウスイッチがそれぞれ設けられている。ここで、助手席側、後右席側および後左席側に配置される窓ガラス近傍のパワーウインドウスイッチは、それぞれの窓ガラスを開閉するための窓スイッチであり、運転席側に配置される窓ガラス近傍のパワーウインドウスイッチは、各窓ガラスを開閉するための複数の窓スイッチを備えたものである。
【０００４】
よって、助手席、後右席、後左席に搭乗する搭乗者は、それぞれの窓ガラス近傍に設けられたパワーウインドウスイッチ（窓スイッチ）を操作することにより、それぞれに対応した窓ガラスを開閉することができ、運転席に搭乗する運転者は、運転席窓ガラス近傍に設けられたパワーウインドウスイッチ（運転席パワーウインドウスイッチ）の複数の窓スイッチを操作することにより、各窓ガラスをそれぞれ開閉することができる。
【０００５】
運転席パワーウインドウスイッチにおいては、各窓スイッチが各窓ガラスの配置に対応して配置されており、運転席側の窓ガラスを開閉するための運転席窓スイッチと助手席側の窓ガラスを開閉するための助手席窓スイッチが前列の左右に横並びで配置され、後右席側の窓ガラスを開閉するための後右席窓スイッチと後左席側の窓ガラスを開閉するための後左席窓スイッチが後列の左右に横並びで配置されている。
【先行技術文献】
【特許文献】
【０００６】
【特許文献１】特許第５４０２８８３号公報
【特許文献２】実開平５−７６８２４号公報
【発明の概要】
【発明が解決しようとする課題】
【０００７】
しかし、運転席パワーウインドウスイッチにおける前列左右および後列左右の全ての窓スイッチを一度に操作することは、運転操作している運転者にとって困難である。よって、全ての窓ガラスを開動作または閉動作する場合には、運転者は窓スイッチの操作を少なくとも二回行わなければならず、例えば、前列左右のスイッチを操作して運転席側の窓ガラスと助手席側の窓ガラスを開動作または閉動作した後に、後列左右のスイッチを操作して後席両側の窓ガラスを開動作または閉動作する。
【０００８】
このような窓スイッチの操作は、運転操作中の運転者にとって煩わしい作業（操作）であるため、簡易なものであることが好ましい。
【０００９】
本発明は上記問題に鑑みてなされたもので、パワーウインドウ装置における窓の開閉操作を簡易なものとすることを目的とする。
【課題を解決するための手段】
【００１０】
上記課題を解決する第一の発明に係るパワーウインドウ装置は、車両の複数の窓ガラスをそれぞれ動作する駆動手段と、前記駆動手段を駆動するための操作手段と、前記操作手段の操作に応じて前記窓ガラスが開動作または閉動作されるよう前記駆動手段を制御する制御手段とを備えたパワーウインドウ装置において、前記操作手段が、複数の前記窓ガラスに対応する複数の窓スイッチを有するものであり、前記制御手段が、複数の前記窓スイッチを個々に操作する通常操作が行われた場合には、当該窓スイッチに対応する前記窓ガラスのみが動作されるよう前記駆動手段を制御し、前記窓スイッチに対して前記通常操作とは異なる操作である特殊操作が行われた場合には、全ての前記窓ガラスが動作されると共に、当該窓ガラスが異なる動作タイミングで動作されるよう前記駆動手段を制御するものであり、前記制御手段が、前記特殊操作による前記窓ガラスの動作において、車両の前列における運転席側に配置される前記窓ガラスの動作が開始されてから車両の前列における助手席側に配置される前記窓ガラスの動作が開始されるまでの時間が、車両の前列における助手席側に配置される前記窓ガラスの動作が開始されてから車両の後列に配置される前記窓ガラスの動作が開始されるまでの時間よりも長くなるよう前記駆動手段を制御するものであることを特徴とする。
【００１１】
上記課題を解決する第二の発明に係るパワーウインドウ装置は、第一の発明に係るパワーウインドウ装置において、前記制御手段が、前記特殊操作による前記窓ガラスの動作において、前記窓ガラスの動作が停止される動作タイミングが異なるよう前記駆動手段を制御するものであることを特徴とする。
【００１２】
上記課題を解決する第三の発明に係るパワーウインドウ装置は、第一または第二の発明に係るパワーウインドウ装置において、前記制御手段が、前記特殊操作による前記窓ガラスの動作において、前記窓ガラスの動作が開始される動作タイミングが異なるように、車両の前列に配置される前記窓ガラスの動作が開始された後、車両の後列に配置される前記窓ガラスの動作が開始されるよう前記駆動手段を制御するものであることを特徴とする。
【００１３】
上記課題を解決する第四の発明に係るパワーウインドウ装置は、第一から第三のいずれか一つの発明に係るパワーウインドウ装置において、前記制御手段が、前記特殊操作による前記窓ガラスの動作において、前記窓ガラスの動作が開始される動作タイミングが異なるように、車両の前列における運転席側に配置される前記窓ガラスの動作が開始された後、車両の前列における助手席側に配置される前記窓ガラスの動作が開始されるように前記駆動手段を制御するものであることを特徴とする。
【００１５】
上記課題を解決する第五の発明に係るパワーウインドウ装置は、第一から第四のいずれか一つの発明に係るパワーウインドウ装置において、前記特殊操作が、複数の前記窓スイッチのうち少なくとも二つの前記窓スイッチを同時に操作する操作であることを特徴とする。
【００１６】
上記課題を解決する第六の発明に係るパワーウインドウ装置は、第一から第五のいずれか一つの発明に係るパワーウインドウ装置において、前記特殊操作による前記窓ガラスの動作を搭乗者に報知する報知手段を備えたことを特徴とする。
【００１７】
上記課題を解決する第七の発明に係るパワーウインドウ装置は、第六の発明に係るパワーウインドウ装置において、前記制御手段が、前記特殊操作による前記窓ガラスの動作が開始される前に、当該窓ガラスの動作が搭乗者に報知されるよう前記報知手段を制御するものであることを特徴とする。
【発明の効果】
【００１８】
第一の発明に係るパワーウインドウ装置によれば、簡易な操作で全ての窓ガラスを動作することができると共に、窓ガラスを異なる動作タイミングで動作することにより、駆動手段におけるモータ拘束時に流れる過電流等のタイミングをずらすことができ、運転席窓ガラスと助手席窓ガラスとの動作開始における動作タイミングの差（時間）を、助手席窓ガラスと後席窓ガラスとの動作開始における動作タイミングの差（時間）よりも長くすることにより、特殊操作による窓ガラスの動作に対する運転者以外の搭乗者の注意を喚起することができる。
【００１９】
第二の発明に係るパワーウインドウ装置によれば、窓ガラスの動作が停止される動作タイミングを異なるようにすることにより、駆動手段におけるモータ拘束時に流れる過電流のタイミングをずらすことができる。よって、電気系統における劣化等を低減することができる。
【００２０】
第三の発明に係るパワーウインドウ装置によれば、窓ガラスの動作が開始される動作タイミングを、前列の窓ガラス、後列の窓ガラスの順にすることにより、特殊操作による窓ガラスの動作に対する後席搭乗者の注意を喚起することができる。
【００２１】
第四の発明に係るパワーウインドウ装置によれば、窓ガラスの動作が開始される動作タイミングを、運転席窓ガラス、助手席窓ガラスの順にすることにより、特殊操作による窓ガラスの動作に対する助手席搭乗者の注意を喚起することができる。
【００２３】
第五の発明に係るパワーウインドウ装置によれば、特殊操作を簡易に行えるとともに、通常操作と特殊操作との区別が明確となるので、通常操作を意図したはずの操作が特殊操作と判別されたり、特殊操作を意図したはずの操作が通常操作と判別されたりすることを防止できる。
【００２４】
第六の発明に係るパワーウインドウ装置によれば、報知手段によって特殊操作による窓ガラスの動作を報知することにより、当該動作に対する搭乗者の注意を確実に喚起することができる。
【００２５】
第七の発明に係るパワーウインドウ装置によれば、窓ガラスの動作前に、報知手段によって特殊操作による窓ガラスの動作を報知することにより、当該動作に対する搭乗者の注意を確実に喚起することができる。
【図面の簡単な説明】
【００２６】
【図１】実施例１に係るパワーウインドウ装置の構成を示すブロック図である。
【図２】実施例１に係るパワーウインドウ装置の動作を示すフローチャートである。
【図３】実施例１に係るパワーウインドウ装置における運転席パワーウインドウスイッチを示す斜視図である。
【図４】実施例１に係るパワーウインドウ装置における窓スイッチを示す側面図である。
【発明を実施するための形態】
【００２７】
以下に、本発明に係るパワーウインドウ装置の実施例について、添付図面を参照して詳細に説明する。もちろん、本発明は以下の実施例に限定されず、本発明の趣旨を逸脱しない範囲で各種変更が可能であることは言うまでもない。
【実施例１】
【００２８】
本発明の実施例１に係るパワーウインドウ装置の構成について、図１、図３および図４を参照して説明する。
【００２９】
図１に示すように、自動車１には、パワーウインドウ装置１０が備えられており、このパワーウィドウ装置１０によって、車両の運転席と助手席と後右席および後左席に配置される窓ガラス（運転席窓ガラス、助手席窓ガラス、後右席窓ガラス、後左席窓ガラス）２１，２２，２３，２４が開閉されるようになっている。
【００３０】
パワーウインドウ装置１０には、窓ガラス２１，２２，２３，２４の近傍にそれぞれ設けられるパワーウインドウスイッチ（運転席パワーウインドウスイッチ、助手席パワーウインドウスイッチ、後右席パワーウインドウスイッチ、後左席パワーウインドウスイッチ）３１，３２，３３，３４と、窓ガラス２１，２２，２３，２４をそれぞれ開閉動作する窓駆動部（運転席窓駆動部、助手席窓駆動部、後右席窓駆動部、後左席窓駆動部）４１，４２，４３，４４と、パワーウインドウスイッチ３１，３２，３３，３４の操作に応じて窓駆動部４１，４２，４３，４４を制御する制御部５０とが設けられている。
【００３１】
パワーウインドウスイッチ３１，３２，３３，３４および窓駆動部４１，４２，４３，４４は、制御部５０と電気的に接続されており、使用者（搭乗者）によってパワーウインドウスイッチ３１，３２，３３，３４が操作されると、パワーウインドウスイッチ３１，３２，３３，３４の操作情報が入力信号として制御部５０に送られ、制御部５０からパワーウインドウスイッチ３１，３２，３３，３４の操作情報に応じた指令信号が窓駆動部４１，４２，４３，４４に出力されるようになっている。
【００３２】
窓駆動部４１，４２，４３，４４は、電動モータ等の図示しない駆動源を有し、当該駆動源の動力によって図示しない駆動機構を介して窓ガラス２１，２２，２３，２４を開動作または閉動作（上下動）することができるものである。前述した制御部５０の指令信号が窓駆動部４１，４２，４３，４４に送られることによって、窓駆動部４１，４２，４３，４４が駆動され、窓ガラス２１，２２，２３，２４が開閉（上下動）される。
【００３３】
図１および図３に示すように、運転席パワーウインドウスイッチ３１には、窓ガラス２１，２２，２３，２４に対応した複数（本実施例においては四つ）の窓スイッチ（運転席窓スイッチ、助手席窓スイッチ、後右席窓スイッチ、後左席窓スイッチ）３１ａ，３１ｂ，３１ｃ，３１ｄが設けられており、これらの窓スイッチ３１ａ，３１ｂ，３１ｃ，３１ｄが操作されることによっても、窓ガラス２１，２２，２３，２４は開閉されるようになっている。
【００３４】
運転席パワーウインドウスイッチ３１における窓スイッチ３１ａ，３１ｂ，３１ｃ，３１ｄは、車両における窓ガラス２１，２２，２３，２４の配置に対応して配置されている。つまり、運転席窓スイッチ３１ａは、車両における運転席と同様に前列右側に配置され、助手席窓スイッチ３１ｂは、車両における助手席と同様に前列左側に配置され、後右席窓スイッチ３１ｃおよび後左席窓スイッチ３１ｄは、車両における後席（右側および左側）と同様に後列右側および後列左側にそれぞれ配置されている。
【００３５】
これら窓スイッチ３１ａ，３１ｂ，３１ｃ，３１ｄは、図４に示すように、車両に固定される固定部６０と、この固定部６０に回転可能に支持される回転部６１とから構成され、固定部６０に対して回転部６１が回転軸部６２を中心として回転するようになっている。回転部６０の操作端部６０ａが窓ガラス２１，２２，２３，２４の動作方向と同じ方向に移動するように、窓スイッチ３１ａ，３１ｂ，３１ｃ，３１ｄを操作する（回転部６０を回転する）ことにより、運転席パワーウインドウスイッチ３１から制御部５０に操作信号が送られるようになっている。
【００３６】
つまり、窓ガラス２１，２２，２３，２４を開動作する場合には、回転部６１の操作端部６０ａを下側へ押し下げるように、回転部６１を回転（図４においては、左回転）する。一方、窓ガラス２１，２２，２３，２４を閉動作する場合には、回転部６１の操作端部６０ａを上側へ引き上げるように、回転部６１を回転（図４においては、右回転）する。
【００３７】
パワーウインドウ装置１０における運転席パワーウインドウスイッチ３１の操作には、窓スイッチ３１ａ，３１ｂ，３１ｃ，３１ｄを個々に操作する通常操作と、窓スイッチ３１ａ，３１ｂ，３１ｃ，３１ｄに対して通常操作とは異なる操作である特殊操作とがある。
【００３８】
通常操作として、例えば、運転席窓スイッチ３１ａのみが、上側へ引き上げるように操作された場合には、当該運転席窓スイッチ３１ａに対応する運転席窓ガラス２１のみが閉動作されるようになっている。
【００３９】
特殊操作として、例えば、運転席窓スイッチ３１ａと助手席窓スイッチ３１ｂとが同時に上側へ引き上げるように操作された場合には、全ての窓ガラス２１，２２，２３，２４が閉動作されるようになっている。本実施例において、特殊操作による窓ガラス２１，２２，２３，２４の動作は、全ての窓ガラス２１，２２，２３，２４を全開（開動作）または全閉（閉動作）するものである。
【００４０】
なお、特殊操作による窓ガラス２１，２２，２３，２４の動作は、パワーウインドウスイッチ３１，３２，３３，３４における所定の操作によって停止可能なものとする。特殊操作による窓ガラス２１，２２，２３，２４の動作を停止する操作として、例えば、特殊操作による窓ガラス２１，２２，２３，２４の動作方向と反対の操作が挙げられる。つまり、窓ガラス２１，２２，２３，２４の開動作中においては、窓ガラス２１，２２，２３，２４の少なくとも一つを閉動作するための操作がなされた場合に、当該特殊操作による窓ガラス２１，２２，２３，２４の開動作を停止し、窓ガラス２１，２２，２３，２４の閉動作中においては、窓ガラス２１，２２，２３，２４の少なくとも一つを開動作するための操作がなされた場合に、当該特殊操作による窓ガラス２１，２２，２３，２４の閉動作を停止するものとする。
【００４１】
特殊操作として、前述したように運転席窓スイッチ３１ａと助手席窓スイッチ３１ｂを同時に操作する、すなわち、窓スイッチ３１ａ，３１ｂ，３１ｃ，３１ｄのうち少なくとも二つを同時に操作すること（同時操作）により、通常操作との違いを明確にすることができる。もちろん、本発明における特殊操作は、本実施例のような同時操作に限定されることはない。
【００４２】
例えば、窓スイッチ３１ａ，３１ｂ，３１ｃ，３１ｄのうち少なくとも一つを複数回連続して操作する、すなわち、設定時間（予め決めた所定時間）内に設定回数（予め決めた所定回数）操作すること（連続操作）により、通常操作との違いを明確にすることができる。連続操作として、例えば、運転席窓スイッチ３１ａが１〜２［ｓｅｃ］以内に二回引き上げるように操作された場合には、全ての窓ガラス２１，２２，２３，２４が閉動作されるようにする。
【００４３】
また、窓スイッチ３１ａ，３１ｂ，３１ｃ，３１ｄのうち少なくとも一つを通常操作よりも長い設定時間（予め決めた所定時間）操作すること（長時間操作）により、通常操作との違いを明確にすることができる。長時間操作として、例えば、運転席窓スイッチ３１ａが２［ｓｅｃ］以上引き上げるように操作された場合には、全ての窓ガラス２１，２２，２３，２４が閉動作されるようにする。
【００４４】
また、特殊操作として、上述した操作を組み合わせたものであっても良い。例えば、運転席窓スイッチ３１ａと助手席窓スイッチ３１ｂが３００［ｍｓｅｃ］以上引き上げるように操作され、運転席窓スイッチ３１ａと助手席窓スイッチ３１ｂが操作されない状態（図４において実線で示す中立位置）で３００［ｍｓｅｃ］以上経過し、運転席窓スイッチ３１ａと助手席窓スイッチ３１ｂが３００［ｍｓｅｃ］以上引き上げるように操作された場合には、全ての窓ガラス２１，２２，２３，２４が閉動作されるようにする。
【００４５】
このような特殊操作によって、全ての窓ガラス２１，２２，２３，２４を動作する場合には、窓ガラス２１，２２，２３，２４の動作タイミングが異なるようにしている。例えば、窓ガラス２１，２２，２３，２４の閉動作（もしくは開動作）における全閉（もしくは全開）位置での停止するタイミングを複数回に分ける（ずらす）ことにより、各窓駆動部４１，４２，４３，４４におけるモータ拘束時に流れる過電流のタイミングをずらすことができる。なお、窓ガラス２１，２２，２３，２４の異なるタイミングでの動作停止は、窓駆動部４１，４２，４３，４４において把握されている窓ガラス２１，２２，２３，２４の開口量（窓開口量）に基づいてなされる。
【００４６】
また、窓ガラス２１，２２，２３，２４の動作が開始するタイミングを複数回に分ける、例えば、最初に運転席窓ガラス２１の動作を開始し、次に助手席窓ガラス２２の動作を開始し、最後に後右席窓ガラス２３および後左席窓ガラス２４の動作を開始することにより、当該特殊操作による窓ガラス２１，２２，２３，２４の動作に対する搭乗者の注意を喚起することができる。
【００４７】
このとき、運転席窓ガラス２１の動作が開始されてから助手席窓ガラス２２の動作が開始されるまでの時間を長く（例えば、三秒）設定することにより、当該特殊操作を行った運転手以外の搭乗者の注意を確実に喚起することができると共に、窓駆動部４１，４２，４３，４４におけるモータ拘束時に流れる過電流のタイミングをずらすことができる。
【００４８】
また、助手席窓ガラス２２の動作が開始されてから後右席窓ガラス２３および後左席窓ガラス２４の動作が開始されるまでの時間を短く（例えば、一秒）設定することにより、搭乗者の注意を確実に喚起することができると共に、窓駆動部４２，４３，４４におけるモータ拘束時に流れる過電流のタイミングをずらすことができる。
【００４９】
このように、運転席窓ガラス２１の動作が開始されてから助手席窓ガラス２２の動作が開始されるまでの時間は、運転手以外の搭乗者への注意喚起のために、助手席窓ガラス２２の動作が開始されてから後右席窓ガラス２３および後左席窓ガラス２４の動作が開始されるまでの時間よりも長く設定することが好ましい。
【００５０】
また、特殊操作による窓ガラス２１，２２，２３，２４の動作速度を、通常操作による窓ガラス２１，２２，２３，２４の動作速度と異なるようにしている。特殊操作による窓ガラス２１，２２，２３，２４の動作を、通常操作による窓ガラス２１，２２，２３，２４の動作よりも遅くすることにより、搭乗者の安全性を向上させることができる。また、特殊操作による窓ガラス２１，２２，２３，２４の動作のうち、運転席窓ガラス２１の動作を、他席の窓ガラス（助手席窓ガラス、後右席窓ガラス、後左席窓ガラス）２２，２３，２４の動作よりも速くすることにより、他の搭乗者の安全を確保しつつ、運転席窓ガラス２１の動作が遅いことによる運転者の煩わしさを低減することができる。
【００５１】
また、パワーウインドウ装置１０には、動作予告音出力部７０が設けられており、パワーウインドウスイッチ３１，３２，３３，３４の特殊操作による窓ガラス２１，２２，２３，２４の動作（開動作または閉動作）が動作予告音として搭乗者に報知されるようになっている。
【００５２】
この動作予告音出力部７０は、制御部５０と電気的に接続されており、使用者（運転者）によって運転席パワーウインドウスイッチ３１の特殊操作が行われると、運転席パワーウインドウスイッチ３１の操作情報が入力信号として制御部５０に送られる。そして、制御部５０から、窓駆動部４１，４２，４３，４４への指令信号が出力されるより前に、運転席パワーウインドウスイッチ３１の操作情報に応じた指令信号が動作予告音出力部７０に出力され、動作予告音出力部７０から特殊操作による窓ガラス２１，２２，２３，２４の動作を予告する動作予告音（報知音）が発せられるようになっている。
【００５３】
このように、特殊操作による窓ガラス２１，２２，２３，２４の動作が開始される前に、動作予告音出力部７０から動作予告音が発せられる（出力される）ことにより、当該動作に対する搭乗者の注意を喚起することができる。
【００５４】
なお、上述した異なる動作タイミングおよびその時間差の設定、動作速度の設定、ならびに、動作予告音の出力タイミング等は、図示しない機器設定ツールやナビゲーションシステムによって行うことができるものとする。
【００５５】
本発明の実施例１に係るパワーウインドウ装置の特殊操作による動作について、図１および図２を参照して説明する。
【００５６】
図２には、運転席窓ガラス２１の動作が開始されてから助手席窓ガラス２２の動作が開始されるまでの時間を３秒とし、助手席窓ガラス２２の動作が開始されてから後右席窓ガラス２３および後左席窓ガラス２４の動作が開始されるまでの時間を１秒としたときの動作の流れを示している。尚、図２に示す時間間隔はあくまで例であり、必ずしもこれに限定されるものではない。
【００５７】
図２に示すように、ステップＳ１において、特殊操作がなされると、ステップＳ２において、動作予告音の出力がなされた後、ステップＳ３において、運転席窓ガラス２１の開動作または閉動作がなされる。
【００５８】
つまり、使用者（運転者）によって、運転席パワーウインドウスイッチ３１における特殊操作、例えば、前列の左右二つの運転席窓スイッチ３１ａおよび助手席窓スイッチ３１ｂ、または、後列の左右二つの後右席窓スイッチ３１ｃおよび後左席窓スイッチ３１ｄが同時に二回連続で操作されると、その特殊操作の操作信号が制御部５０に送られる。そして、制御部５０から動作予告音出力部７０に指令信号が出力され、動作予告音出力部７０において動作予告音（報知音）が発せられる。その後、制御部５０から運転席窓駆動部４１に開動作または閉動作の指令信号が出力され、運転席窓駆動部４１が駆動され、運転席窓ガラス２１が動作される。
【００５９】
このように、運転席窓ガラス２１の動作前、すなわち、全ての窓ガラス２１，２２，２３，２４の動作前に、動作予告音出力部７０から動作予告音（報知音）が発せられることにより、特殊操作による動作に対する搭乗者の注意が喚起される。また、運転席窓ガラス２１が最初に動作されることによっても、特殊操作による動作に対する搭乗者の注意が喚起される。
【００６０】
次に、ステップＳ４において、運転席窓ガラス２１の動作開始から三秒以上経過すると、ステップＳ５において、助手席窓ガラス２２の開動作または閉動作がなされる。
【００６１】
つまり、制御部５０の指令によって運転席窓駆動部４１が駆動し、運転席窓ガラス２１が動作してから三秒以上が経過した後、制御部５０から助手席窓駆動部４２に開動作または閉動作の指令信号が出力される。そして、この制御部５０の指令によって助手席窓駆動部４２が駆動され、助手席窓ガラス２２が動作される。
【００６２】
このように、運転席窓ガラス２１の動作が開始してから三秒以上が経過した後に助手席窓ガラス２２の動作が開始されることにより、搭乗者の安全性が向上すると共に、窓駆動部４１，４２，４３，４４におけるモータ拘束時に流れる過電流のタイミングをずらすことができる。
【００６３】
次に、ステップＳ６において、助手席窓ガラス２２の動作開始から一秒以上経過すると、ステップＳ７において、後右席窓ガラス２３および後左席窓ガラス２４の開動作または閉動作がなされる。
【００６４】
つまり、制御部５０の指令によって、助手席窓駆動部４２が駆動され、助手席窓ガラス２２が動作してから一秒以上が経過した後、制御部５０から後右窓駆動部４３および後左窓駆動部４４に開動作または閉動作の指令信号が出力される。そして、この制御部５０の指令によって、後右席窓駆動部４３および後左窓駆動部４４が駆動され、後右席窓ガラス２３および後左席窓ガラス２４が動作される。
【００６５】
このように、助手席窓ガラス２２の動作が開始してから一秒以上が経過した後に後右席窓ガラス２３および後左席窓ガラス２４の動作が開始されることにより、搭乗者の安全性を向上することができると共に、窓駆動部４２，４３，４４におけるモータ拘束時に流れる過電流のタイミングをずらすことができる。
【００６６】
以上のようにして、運転席パワーウインドウスイッチ３１における前列二つ（左右）の運転席窓スイッチ３１ａおよび助手席窓スイッチ３１ｂ、または、後列二つ（左右）の後右席窓スイッチ３１ｃおよび後左席窓スイッチ３１ｄを同時に二回連続で操作することにより、全ての窓ガラス２１，２２，２３，２４の閉動作または開動作がなされるので、運転中の運転者にとっては煩雑な作業（操作）とならない。
【００６７】
また、運転席パワーウインドウスイッチ３１の特殊操作による窓ガラス２１，２２，２３，２４の動作速度を、パワーウインドウスイッチ３１，３２，３３，３４の通常操作による窓ガラス２１，２２，２３，２４の動作速度よりも遅くしていることにより、搭乗者の安全性を向上することができる。
【００６８】
また、運転席パワーウインドウスイッチ３１の特殊操作による運転席窓ガラス２１の動作速度を、他の窓ガラス２２，２３，２４の動作速度よりも速くしていることにより、他の搭乗者の安全を確保しつつ、運転席窓ガラス２１の動作が遅いことによる運転者の煩わしさを低減することができる。
【符号の説明】
【００６９】
１      自動車
１０    パワーウインドウ装置
２１    運転席窓ガラス
２２    助手席窓ガラス
２３    後右席窓ガラス
２４    後左席窓ガラス
３１    運転席パワーウインドウスイッチ（操作手段）
３１ａ  運転席窓スイッチ（操作手段）
３１ｂ  助手席窓スイッチ（操作手段）
３１ｃ  後右席窓スイッチ（操作手段）
３１ｄ  後左席窓スイッチ（操作手段）
３２    助手席パワーウインドウスイッチ
３３    後右席パワーウインドウスイッチ
３４    後左席パワーウインドウスイッチ
４１    運転席窓駆動部（駆動手段）
４２    助手席窓駆動部（駆動手段）
４３    後右席窓駆動部（駆動手段）
４４    後左席窓駆動部（駆動手段）
５０    制御部（制御手段）
６０    固定部
６０ａ  操作端部
６１    回転部
６２    回転軸部
７０    動作予告音出力部（報知手段）
【図１】
0006481197.tif 000002
【図２】
0006481197.tif 000003
【図３】
0006481197.tif 000004
【図４】
0006481197.tif 000005